(57)【要約】【課題】カード型媒体の画像を読み取った後、容易に且つ置き忘れることなくそのカード型媒体を取り除くことを可能にした画像読取装置を提供する。【解決手段】画像読取装置は、原稿を載置する原稿トレイ２０１と、原稿トレイ２０１に載置された原稿を搬送して排出する第１搬送手段と、第１搬送手段で排出された原稿を積載する排出トレイ２０５と、第１搬送手段での搬送途中で原稿の画像を光学的に読み取る第１読取手段とを備える。さらに、画像読取装置は、所定サイズ以下のカード型媒体を第１搬送手段とは異なる搬送経路で搬送して排出する第２搬送手段３０５，３０６と、第２搬送手段３０５，３０６での搬送途中でカード型媒体に記述された画像を光学的に読み取る第２読取手段３０７とを有する。この第２搬送手段３０５，３０６は、排出トレイ２０５の一部（凹部３０３で例示）にカード型媒体を排出して積載させる。【選択図】図２
2011066676.tif 000002
【特許請求の範囲】
【請求項１】
原稿を載置する原稿トレイと、該原稿トレイに載置された前記原稿を搬送して排出する第１搬送手段と、該第１搬送手段で排出された前記原稿を積載する排出トレイと、前記第１搬送手段での搬送途中で前記原稿の画像を光学的に読み取る第１読取手段とを備えた画像読取装置であって、所定サイズ以下のカード型媒体を前記第１搬送手段とは異なる搬送経路で搬送して排出する第２搬送手段と、該第２搬送手段での搬送途中で前記カード型媒体に記述された画像を光学的に読み取る第２読取手段とを有し、前記第２搬送手段は、前記排出トレイに前記カード型媒体を排出して積載させることを特徴とする画像読取装置。
【請求項２】
請求項１に記載の画像読取装置において、前記第２搬送手段及び前記第２読取手段は、前記排出トレイの下部に設けられていることを特徴とする画像読取装置。
【請求項３】
請求項１又は２に記載の画像読取装置において、前記第２搬送手段は、前記第１搬送手段によって前記原稿が排出される向きとは逆向きに、前記カード型媒体を排出することを特徴とする画像読取装置。
【請求項４】
請求項１又は２に記載の画像読取装置において、前記第２搬送手段は、前記第１搬送手段によって前記原稿が排出される方向に直交する方向に、前記カード型媒体を排出することを特徴とする画像読取装置。
【請求項５】
請求項１〜４のいずれか１項に記載の画像読取装置において、前記排出トレイは、前記第１搬送手段によって前記原稿が排出される位置から離れる向きに徐々に高くなるような、前記原稿が積載される傾斜部を有し、前記第２搬送手段は、前記傾斜部に設けた凹部に前記カード型媒体を排出することを特徴とする画像読取装置。
【請求項６】
請求項５に記載の画像読取装置において、前記凹部は、前記カード型媒体が積載される底部と、前記第２搬送手段による排出の位置から離れる向きに徐々に高くなる第２の傾斜部とを有することを特徴とする画像読取装置。
【請求項７】
請求項５に記載の画像読取装置において、前記凹部は、前記第１搬送手段によって前記原稿が排出される方向に直交する方向の少なくとも一端側で開口していることを特徴とする画像読取装置。
【請求項８】
請求項３に記載の画像読取装置において、前記排出トレイは、前記第１搬送手段によって前記原稿が排出される方向に沿って延伸する凸部を有し、前記第２搬送手段は前記凸部の側面に沿って前記カード型媒体を排出することを特徴とする画像読取装置。
【請求項９】
請求項１〜８のいずれか１項に記載の画像読取装置において、前記第１読取手段と前記第２読取手段とは同時に画像が読み取り可能であることを特徴とする画像読取装置。
【請求項１０】
請求項１〜９のいずれか１に記載の画像読取装置を備えた画像形成装置。
【発明の詳細な説明】
【技術分野】
【０００１】
本発明は、画像読取装置及び画像形成装置に関し、より詳細には、カードや名刺などのカード型媒体の画像の読み取りが可能な画像読取装置、及びその画像読取装置を備えた画像形成装置に関する。
【背景技術】
【０００２】
複写機や複合機、ファクシミリ装置などの画像形成装置には、原稿画像を読み取るための画像読取装置が備えられている。画像読取装置によって、名刺などの厚手で小サイズの原稿画像を読み取る場合、従来では、通常サイズ（例えばＡ５サイズ〜Ａ３サイズ）の原稿のように、原稿トレイに原稿をセットし、Ｕターンパスを搬送させて原稿画像を読み取るようにしていた。また、プラスチック製のカードのように、Ｕターンパスを搬送させることができないリジッドな媒体の画像を読み取る場合には、カードを画像読取装置の原稿載置台上に置き、原稿カバーを閉めてカードの画像を読み取らせていた。
【０００３】
例えば、特許文献１には、画像形成装置の条件設定を行うためのカードをカード読み取り装置によって読み取らせるようにした構成が開示されている。ここでは、画像形成装置の原稿搬送ユニットの上部に、画像形成装置とは別体のカード読取装置を設けている。
【先行技術文献】
【特許文献】
【０００４】
【特許文献１】特開昭６２−１３１２６９号公報
【発明の概要】
【発明が解決しようとする課題】
【０００５】
しかしながら、特許文献１に記載の技術では、カード読取装置でカードを読み取らせた場合にカードの置き忘れを防止するような構造にはなっておらず、次に使用したユーザがカードの抜き忘れを見つける場合も多い。さらに、カード読取装置に他のユーザのカードが挿入されている場合には、次のユーザはカード読取装置を使用することができない。
【０００６】
また、原稿載置台にカード型媒体を置いて読み取らせる場合には、原稿カバーとなる原稿送り装置の開閉動作等が必要となり操作が煩雑となるだけでなく、カードを原稿載置台から取り除くことも容易でなく、置き忘れを防止することもできない。
【０００７】
本発明は、上述のような実情に鑑みてなされたもので、その目的は、カード型媒体の画像を読み取った後、容易に且つ置き忘れることなくそのカード型媒体を取り除くことを可能にした画像読取装置、及びその画像読み取り装置を備えた画像形成装置を提供することにある。
【課題を解決するための手段】
【０００８】
上記課題を解決するために、本発明の第１の技術手段は、原稿を載置する原稿トレイと、該原稿トレイに載置された前記原稿を搬送して排出する第１搬送手段と、該第１搬送手段で排出された前記原稿を積載する排出トレイと、前記第１搬送手段での搬送途中で前記原稿の画像を光学的に読み取る第１読取手段とを備えた画像読取装置であって、所定サイズ以下のカード型媒体を前記第１搬送手段とは異なる搬送経路で搬送して排出する第２搬送手段と、該第２搬送手段での搬送途中で前記カード型媒体に記述された画像を光学的に読み取る第２読取手段とを有し、前記第２搬送手段は、前記排出トレイに前記カード型媒体を排出して積載させることを特徴としたものである。
【０００９】
第２の技術手段は、第１の技術手段において、前記第２搬送手段及び前記第２読取手段は、前記排出トレイの下部に設けられていることを特徴としたものである。
【００１０】
第３の技術手段は、第１又は第２の技術手段において、前記第２搬送手段は、前記第１搬送手段によって前記原稿が排出される向きとは逆向きに、前記カード型媒体を排出することを特徴としたものである。
【００１１】
第４の技術手段は、第１又は第２の技術手段において、前記第２搬送手段は、前記第１搬送手段によって前記原稿が排出される方向に直交する方向に、前記カード型媒体を排出することを特徴としたものである。
【００１２】
第５の技術手段は、第１〜第４のいずれかの技術手段において、前記排出トレイは、前記第１搬送手段によって前記原稿が排出される位置から離れる向きに徐々に高くなるような、前記原稿が積載される傾斜部を有し、前記第２搬送手段は、前記傾斜部に設けた凹部に前記カード型媒体を排出することを特徴としたものである。
【００１３】
第６の技術手段は、第５の技術手段において、前記凹部は、前記カード型媒体が積載される底部と、前記第２搬送手段による排出の位置から離れる向きに徐々に高くなる第２の傾斜部とを有することを特徴としたものである。
【００１４】
第７の技術手段は、第５の技術手段において、前記凹部は、前記第１搬送手段によって前記原稿が排出される方向に直交する方向の少なくとも一端側で開口していることを特徴としたものである。
【００１５】
第８の技術手段は、第３の技術手段において、前記排出トレイは、前記第１搬送手段によって前記原稿が排出される方向に沿って延伸する凸部を有し、前記第２搬送手段は前記凸部の側面に沿って前記カード型媒体を排出することを特徴としたものである。
【００１６】
第９の技術手段は、第１〜第８のいずれかの技術手段において、前記第１読取手段と前記第２読取手段とは同時に画像が読み取り可能であることを特徴としたものである。
【００１７】
第１０の技術手段は、第１〜第９のいずれかの技術手段における画像読取装置を備えた画像形成装置である。
【発明の効果】
【００１８】
本発明によれば、カード型媒体の画像を読み取った後、容易に且つ置き忘れることなくそのカード型媒体を取り除くことが可能になる。
【図面の簡単な説明】
【００１９】
【図１】本発明に係る画像読取装置を備えた画像形成装置の一構成例を示す断面図である。
【図２】本発明に係る画像読取装置の一構成例を示す概略断面図である。
【図３】図２の画像読取装置の一部を各方向から見た概略図である。
【図４】図２の画像読取装置に適用可能な第２排出トレイの構成例を示す断面図である。
【図５】本発明に係る画像読取装置の他の構成例の一部を各方向から見た概略図である。
【図６】本発明に係る画像読取装置の他の構成例を示す概略断面図である。
【発明を実施するための形態】
【００２０】
図１は、本発明に係る画像読取装置を備えた画像形成装置の一構成例を示す図である。画像形成装置１００は、外部から伝達された画像データに応じて、所定のシート（記録用紙）に対して多色及び単色の画像を形成するもので、装置本体１１０と、自動原稿送り装置（ＡＤＦ：Auto Document Feeder）１２０とを有している。装置本体１１０は、露光ユニット１、現像器２、感光体ドラム３、クリーナユニット４、帯電器５、中間転写ベルトユニット６、定着ユニット７、給紙カセット８１を有し、その他、印刷用紙を排出する排出トレイ（排紙トレイ）９１なども有する。
【００２１】
装置本体１１０の上部には、原稿が載置される透明ガラスからなる原稿載置台９２が設けられ、原稿載置台９２の上側には自動原稿送り装置１２０が取り付けられている。また、原稿載置台９２は主走査部９０の一部として設けられている。主走査部９０及び自動原稿送り装置１２０は、本発明に関わる画像読取装置に該当するものである。
【００２２】
自動原稿送り装置１２０は、原稿を載置する原稿トレイ、原稿トレイに載置された原稿を搬送して排出する第１搬送手段、及び第１搬送手段で排出された原稿を積載する排出トレイ（排紙トレイ）を備え、原稿載置台９２の上を通過するように自動で原稿を搬送する。また自動原稿送り装置１２０は例えば矢印Ｍ方向に回動自在に構成され、原稿載置台９２の上を開放することにより原稿を手置きで置くことができるようになっている。このように、自動原稿送り装置１２０は、原稿載置台９２に載置した原稿を覆う原稿カバーとしても機能する。
【００２３】
主走査部９０は、主として筐体と、透明なガラス板からなる原稿載置台（ＯＣガラス）と、透明なガラス板からなるＳＰＦ（シングルパスフィーダ）ガラスと、筐体内に収容される画像読取手段とを備えている。画像読取手段は、光源及びミラーを有する光源ユニットと、他のミラー群を有するミラーユニットと、レンズと、イメージセンサとしてＣＣＤ（Charge Coupled Device）とを備えた縮小光学系の画像読取手段であり、原稿に光源光を照射して反射光を受光することにより原稿上の画像を読み取る。主走査部９０で例示したように、本発明の画像読取装置には、第１搬送手段での搬送途中で原稿の画像を光学的に読み取る画像読取手段（以下、第１読取手段という）が設けられている。
【００２４】
画像形成装置１００において扱われる画像データは、ブラック（Ｋ）、シアン（Ｃ）、マゼンタ（Ｍ）、イエロー（Ｙ）の各色を用いたカラー画像に応じたものを例示している。従って、現像器２、感光体ドラム３、帯電器５、クリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００２５】
帯電器５は、感光体ドラム３の表面を所定の電位に均一に帯電させるための帯電手段であり、図１に示すようなチャージャ型の他、接触型のローラ型やブラシ型の帯電器が用いられることもある。
【００２６】
露光ユニット１は、レーザ出射部及び反射ミラー等を備えたレーザスキャニングユニット（ＬＳＵ）として構成される。露光ユニット１は、レーザビームを走査するポリゴンミラーと、ポリゴンミラーによって反射されたレーザ光を感光体ドラム３に導くためのレンズやミラー等の光学要素が配置されている。また露光ユニット１としては、この他発光素子をアレイ状に並べた例えばＥＬやＬＥＤ書込みヘッドを用いる手法も採用できる。
【００２７】
露光ユニット１は、帯電された感光体ドラム３を入力された画像データに応じて露光することにより、その表面に、画像データに応じた静電潜像を形成する機能を有する。現像器２はそれぞれの感光体ドラム３上に形成された静電潜像を４色（ＹＭＣＫ）のトナーにより顕像化するものである。またクリーナユニット４は、現像・画像転写後における感光体ドラム３上の表面に残留したトナーを、除去・回収する。
【００２８】
感光体ドラム３の上方に配置されている中間転写ベルトユニット６は、中間転写ベルト６１、中間転写ベルト駆動ローラ６２、中間転写ベルト従動ローラ６３、中間転写ローラ６４、及び中間転写ベルトクリーニングユニット６５を備えている。中間転写ローラ６４は、ＹＭＣＫ用の各色に対応して４本設けられている。
【００２９】
中間転写ベルト駆動ローラ６２、中間転写ベルト従動ローラ６３、及び中間転写ローラ６４は、中間転写ベルト６１を張架して回転駆動させる。また各中間転写ローラ６４は、感光体ドラム３のトナー像を、中間転写ベルト６１上に転写するための転写バイアスを与える。中間転写ベルト６１は、各感光体ドラム３に接触するように設けられている、そして、感光体ドラム３に形成された各色のトナー像を中間転写ベルト６１に順次的に重ねて転写することによって、中間転写ベルト６１上にカラーのトナー像（多色トナー像）を形成する機能を有している。中間転写ベルト６１は、例えば厚さ１００μｍ〜１５０μｍ程度のフィルムを用いて無端状に形成されている。
【００３０】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。中間転写ローラ６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト６１に対して均一に高電圧を印加することができる。本構成例では転写電極としてローラ形状を使用しているが、それ以外にブラシなども用いることが可能である。
【００３１】
上述のように各感光体ドラム３上で各色相に応じて顕像化された静電像は中間転写ベルト６１で積層される。このように、積層された画像情報は中間転写ベルト６１の回転によって、後述の用紙と中間転写ベルト６１の接触位置に配置される転写ローラ１０によって用紙上に転写される。
【００３２】
このとき、中間転写ベルト６１と転写ローラ１０は所定ニップで圧接されると共に、転写ローラ１０にはトナーを用紙に転写させるための電圧が印加される（トナーの帯電極性（−）とは逆極性（＋）の高電圧）。さらに、転写ローラ１０は上記ニップを定常的に得るために、転写ローラ１０若しくは中間転写ベルト駆動ローラ６２のいずれか一方を硬質材料（金属等）とし、他方を弾性ローラ等の軟質材料（弾性ゴムローラ、又は発泡性樹脂ローラ等）が用いられる。
【００３３】
また、上述のように、感光体ドラム３に接触することにより中間転写ベルト６１に付着したトナー、若しくは転写ローラ１０によって用紙上に転写が行われず中間転写ベルト６１上に残存したトナーは、次工程でトナーの混色を発生させる原因となるために、中間転写ベルトクリーニングユニット６５によって除去・回収されるように設定されている。中間転写ベルトクリーニングユニット６５には、中間転写ベルト６１に接触する例えばクリーニング部材としてクリーニングブレードが備えられており、クリーニングブレードが接触する中間転写ベルト６１は、裏側から中間転写ベルト従動ローラ６３で支持されている。
【００３４】
給紙カセット８１は、画像形成に使用するシート（記録用紙）を蓄積しておくためのトレイであり、装置本体１１０の露光ユニット１の下側に設けられている。また手差し給紙トレイ８２にも画像形成に使用するシートを置くことができる。また、装置本体１１０の上方に設けられている排出トレイ９１は、印刷済みのシートをフェイスダウンで集積するためのトレイである。
【００３５】
また装置本体１１０には、給紙カセット８１及び手差し給紙トレイ８２のシートを転写ローラ１０や定着ユニット７を経由させて排出トレイ９１に送るための、略垂直形状の用紙搬送路Ｓが設けられている。給紙カセット８１ないし手差し給紙トレイ８２から排出トレイ９１までの用紙搬送路Ｓの近傍には、ピックアップローラ１１ａ，１１ｂ、複数の搬送ローラ１２ａ〜１２ｄ，レジストローラ１３、転写ローラ１０、定着ユニット７等が配されている。
【００３６】
定着ユニット７は、ヒートローラ７１及び加圧ローラ７２を備えており、ヒートローラ７１及び加圧ローラ７２は、シートを挟んで回転するようになっている。またヒートローラ７１は、図示しない温度検出器からの信号に基づいて制御部によって所定の定着温度となるように設定されており、加圧ローラ７２とともにトナーをシートに熱圧着することにより、シートに転写された多色トナー像を溶融・混合・圧接し、シートに対して熱定着させる機能を有している。
【００３７】
搬送ローラ１２ａ〜１２ｄは、シートの搬送を促進・補助するための小型のローラであり、用紙搬送路Ｓに沿って複数設けられている。またピックアップローラ１１ａは、給紙カセット８１の端部近傍に備えられ、給紙カセット８１からシートを１枚ずつピックアップして用紙搬送路Ｓに供給する。同様にまたピックアップローラ１１ｂは、手差し給紙トレイ８２の端部近傍に備えられ、手差し給紙トレイ８２からシートを１枚ずつピックアップして用紙搬送路Ｓに供給する。
【００３８】
図２は、本発明に係る画像読取装置の一構成例を示す概略断面図である。また、図３は、図２の画像読取装置の一部（主に第１搬送手段を取り除いた部分）を各方向から見た概略図で、図３（Ａ）は上面図、図３（Ｂ）は図３（Ａ）のＰ−Ｐ方向の一部断面図、図３（Ｃ）は図３（Ａ）のＱ−Ｑ方向から見た図（側面図）である。
【００３９】
本構成例の画像読取装置は、図１の画像形成装置１００の上部に設けられるもので、上述したように、主として自動原稿送り装置１２０、原稿載置台９２、及び主走査部９０から構成されている。自動原稿送り装置１２０と主走査部９０とはヒンジ（図示せず）によって連結され、自動原稿送り装置１２０はヒンジの回動によって主走査部９０に対して開閉可能となっている。原稿載置台９２は主走査部９０の上部に設けられている。
【００４０】
自動原稿送り装置１２０は、主として原稿トレイ２０１に載置された原稿を１枚ずつ呼び込む呼び込みローラ２０２と、呼び込まれた原稿を原稿搬送路に沿って搬送する複数の搬送ローラ２０３，２０４と、画像読み取りを終えた原稿を排出する排出トレイ２０５とを備えている。ローラ２０２〜２０４等が上記第１搬送手段の例に相当する。また、自動原稿送り装置１２０の下面は、主走査部９０の原稿載置台９２上に載置された読み取り原稿を上から押さえる押さえ板となっている。この押さえ板は、第１読取手段の光源に対峙する部分が開放可能な蓋体となっている。
【００４１】
さらに、本発明の主たる特徴として、画像読取装置には、名刺、免許証、プラスチック製カードなどのカード型媒体（カード型原稿）の画像を読み取るためのカード読取ユニット（カードリーダー）３００が備えられる。
【００４２】
カード読取ユニット３００は、所定サイズ以下のカード型媒体を、第１搬送手段とは異なる搬送経路（少なくとも搬入口が異なる搬送経路）で搬送して排出する第２搬送手段を有する。
【００４３】
ここで例示する第２搬送手段は、挿入口３０８から搬送ローラ３０６を経由して搬送ローラ３０６を通るような搬送経路上で、カード型媒体を搬送する。つまり、図２で例示するカード読取ユニット３００は、ユーザが一枚ずつ画像を読み込ませるように一枚ずつカード型媒体を挿入するようになっている。また、カード読取ユニット３００は、読取開始のトリガとするためなどに、挿入口３０８に挿入されたカード型媒体を検知するカードセンサや、カード型媒体の挿入に従って回転動作するアクチュエータなどを備えている。
【００４４】
また、カード読取ユニット３００は、第２搬送手段での搬送途中でカード型媒体に記述された画像、つまりカード型媒体の表面及び／又は裏面に印刷等により記述された画像を、光学的に読み取る第２読取手段３０７を有する。
【００４５】
第２読取手段としては、ＣＩＳ（Contact Image Sensor）を採用することが好ましく、例えば、携帯電話に使用されているような小型のＣＣＤ若しくはＣＭＯＳ（Complementary Metal Oxide Semiconductor）のイメージセンサを採用することができる。このような小型のイメージセンサを採用することで、例示したように第１読取手段とは別に第２読取手段を設けた場合でも、画像読取装置の小型化を図ることができる。また、この例では、カード型媒体の両面を同時に読み取り可能となるように、搬送路の上下にそれぞれ第２読取手段３０７を設けている。この第２読取手段３０７の読取幅は、名刺或いはカードの長手方向が読める幅とすればよい。
【００４６】
また、第１読取手段と第２読取手段とで異なるイメージセンサを例示したように、カード型原稿の読み取り、通常原稿の読み取りといった別々の目的を行う読取手段を個別に設け、同時（並行）に画像の読み取りが可能に構成しておくことが好ましい。このような構成ではカード型媒体からの画像読み取りと原稿トレイや原稿載置台を用いた通常原稿の画像読み取りとを並行して実施できるため、例えば、カードの読み取りと通常原稿の読み取りとを異なるユーザにより別々に実行することができる。なお、本発明では、第２読取手段を第１読取手段と共通化した手段として設けた構造を採用することもできる。
【００４７】
また、図２では、主に第２搬送手段及び第２読取手段で構成されるカード読取ユニット３００が、排出トレイ２０５の下部（排出トレイ２０５を構成する部材の内部）に設けられている例を挙げている。このような構造を採用することで、カード読取ユニット３００を設けたことによる大型化を防ぐことができるため好ましい。
【００４８】
そして、本発明の主たる特徴として、この第２搬送手段は、排出トレイ２０５にカード型媒体を排出して積載させる。図２の例では、排出トレイ２０５（より具体的には排出トレイ２０５に設けた凹部３０３）にカード型媒体を排出させて積載させるような構造を採用している。
【００４９】
上述したような構造により、自動原稿送り装置１２０の側面側（この例では右側）からカード型媒体を挿入すると、第２読取手段３０７で読み取り後、通常サイズの原稿を排出する排出トレイ２０５に排出することができる。排出されたカード型媒体は、排出トレイ２０５に設けた凹部３０３の底部（カード排出面）３０４に積載されることになる。
【００５０】
図２で例示したように、画像読み取り後のカード型媒体を、通常の原稿を読み取った後に排出する排出トレイ２０５に排出させることで、排出トレイ２０５の共有化と排出トレイ２０５の空間の有効活用化により、画像読取装置の小型化が実現できる。さらに、通常の原稿とカード型媒体の画像読み取り後の排出トレイ２０５を共通とすることで、ユーザに対して原稿やカード型媒体の置き忘れを防止することが可能になる。
【００５１】
このように、本発明によれば、カード型媒体を読み取り排出させる場合、通常の原稿用の排出トレイ２０５に排出させているため、カード型媒体の画像を読み取った後、容易にそのカード型媒体を取り除くことが可能になるだけでなく、ユーザは原稿と同様の場所からそのカード型媒体を取り除くことができ、これによりカード型媒体を置き忘れる可能性を減らすことができる。
【００５２】
また、図２の例では、第２搬送手段としては、カード型媒体を所定の搬送開始位置から所定の読み取り位置までストレートパスにより搬送する搬送手段を採用している。ここで例示したように、挿入口３０８からそのまま直線的に進んで排出トレイ２０５の凹部３０３に至るような搬送経路に限らず、画像を読み取った後に、同じ経路でカード型媒体を戻して排出トレイ２０５の凹部３０３に排出するような構造、つまり凹部３０３側に挿入口をもつ構造を採用してもよい。いずれにしても、カード読取ユニット３００の搬送路をストレートパスとすることで、例えば、プラスチック製のカードなどの従来のＵターンパスを搬送させることができなかった硬質の媒体であっても画像読取が可能となる。
【００５３】
また、図２の例では、第２搬送手段が、第１搬送手段によって原稿が排出される向きとは逆向きに、カード型媒体を排出する例を挙げている。このような構造により、ユーザの通常原稿とカードに対する読み取らす前と排出後の原稿とカードに対するアクセス（操作）が逆向きであるものの同じ方向（左右方向）であるため、違和感を与えることがなく、アクセスが容易であり、原稿やカードの置き忘れの防止が可能となる。無論、逆向きではなく同じ向きである方がより違和感なくアクセスできるが、一方で、逆向きの方がカード型媒体を読み取りのために載置又は挿入するのが容易となる。
【００５４】
また、図２の例では、排出トレイ２０５は、第１搬送手段によって原稿が排出される位置から離れる向きに、徐々に高くなるような傾斜をもつ傾斜部を有する。この傾斜部には、第１読取手段で画像が読み取られた後の原稿が積載される。積載領域をこのように傾斜させることで、原稿のスタック性を向上させることができる。
【００５５】
そして、この傾斜部に上述した凹部３０３が設けられており、第２搬送手段は、この傾斜部に設けた凹部３０３にカード型媒体を排出する。これによりカード型媒体は、凹部３０３の底部（排出面）に積載される。このように、凹部３０３がカード型媒体用の排出トレイ（第２の排出トレイ）となる。凹部３０３を傾斜部の一部に形成しておくことで、原稿を排出したときにも原稿が引っかかる恐れがない。さらに、凹部３０３を設けておくことで、通常原稿とカード型媒体の排出時の混在を防止し、これらを区別して取り易くすることができる。さらに、この傾斜部を設けることにより生じる空間内にカード読取ユニット３００を設けており、空間を有効活用できている。
【００５６】
この傾斜部を設けその下に第２読取手段を設けた構成を例示したように、画像読取装置において、第２読取手段は第１読取手段が設けられた側とは逆側に設けておくことが好ましい。第１読取手段と第２読取手段とを対向する側に設けておくことで、同じ側に２つの読取手段を設ける必要がないため、２つの読取手段を配置する上でお互いの間の空間を確保できるので、設計上容易となる。
【００５７】
また、図２の例では、凹部３０３の一方の壁として、図３（Ａ），（Ｃ）に示すように上記傾斜部の一部として設けた凸部３０２の側面（側壁）を利用している。この側壁は、カード型媒体が排出される方向のガイドとなるため、排出方向を揃えることができ、排出時のスタック性を向上させることができる。なお、図２では、凸部３０２の一部に補助トレイ３０１を設けているが、補助トレイ３０１は設けなくてもよい。また、凸部３０２を１つ且つ中央付近に設けた例を挙げたが、設ける位置は中央付近に限らず凹部３０３の形成領域を残して形成しておけばよく、また、複数平行に設けることで、傾斜するリブを形成してもよい。
【００５８】
このように、排出トレイ２０５は、第１搬送手段によって原稿が排出される方向に沿って（つまり平行に）延伸する凸部３０２を有し、第２搬送手段は凸部３０２の側面に沿ってカード型媒体を排出するように構成してもよい。但し、このような凸部３０２は、第１搬送手段での排出の向きと逆向き（又は同じ向き）に第２搬送手段での排出も行う場合に有益である。
【００５９】
また、第１搬送手段での排出の向きと逆向き（又は同じ向き）に第２搬送手段での排出も行う場合に限らず、排出トレイ２０５は凸部３０２を設けることで、第１搬送手段により排出された原稿のスタック性を向上させることはできる。
【００６０】
図４は、図２の画像読取装置に適用可能な第２排出トレイの構成例を示す断面図である。図４で例示する凹部３０３では、一方の側面が底部（カード排出面）３０４から傾斜した傾斜部３０４ａとなっている。この傾斜部３０４ａは、第２搬送手段による排出の位置から離れる向きに徐々に高くなる傾斜をもつ。
【００６１】
傾斜部３０４ａはカード型媒体を取り出し易くするために形成されており、カード排出面３０４に排出されたカード型媒体Ｃを取り去るとき、傾斜部３０４ａを利用して矢印の方向にカード型媒体Ｃを滑らすことで隙間Ｔを作り、隙間Ｔに指を入れてカード型媒体Ｃをつかんむことで、容易にとり去ることができる。
【００６２】
図５は、本発明に係る画像読取装置の他の構成例の一部（主に第１搬送手段を取り除いた部分）を各方向から見た概略図で、図５（Ａ）は上面図、図５（Ｃ）は図５（Ａ）のＲ−Ｒ方向の一部断面図である。なお、図５（Ｂ）は図５（Ａ）のＲ−Ｒ方向と直交する方向から見た図（側面図）である。
【００６３】
図５で例示する画像読取装置は、図３又は図４で例示する画像読取装置と異なり、凹部３０３における排出の向きと直交する方向は、カード排出面である底部３０４がそのまま装置前面（ユーザ操作側）まで延びており、特に図５（Ｃ）に示すように壁がない状態（カット状態）となっている。すなわち、この例での凹部３０３は、第１搬送手段によって原稿が排出される方向に直交する方向の少なくとも一端側（ユーザ操作を行う側）で開口している。これにより、排出面となる底部３０４に排出されたカード型媒体を取り去るとき、単に滑らしながら取り去ることができる。
【００６４】
図６は、本発明に係る画像読取装置の他の構成例を示す概略断面図である。図６で例示する画像読取装置（カードリーダー）は、図２で例示した画像読取装置と比べて、カード型媒体を載置するカードトレイ（原稿トレイ）３１０が設けてある点で異なる。このカードトレイ３１０にはカード型媒体を複数枚載せることができ、具備されたピックローラ（例えば半月型のピックローラ）３１１によって自動で、一枚ずつトレイから給紙可能となっている。また、図２の例に加えて、ピックローラ３１１で捕まれたカード型媒体を搬送ローラ３０６に送るために搬送ローラ（給紙ローラ）３０９が別途追加されている。なお、このようなカード型媒体の自動送り装置は、図３〜図５で例示したような構造であっても採用することができる。
【００６５】
また、以上の各例では、第２搬送手段は第１搬送手段による排出の向きと逆方向（又は同じ方向）にカード型媒体を排出することを前提として説明したが、第１搬送手段によって原稿が排出される方向に直交する方向に、カード型媒体を排出するように構成してもよい。
【００６６】
このような構成においても、排出トレイ２０５を、第１搬送手段によって原稿が排出される位置から離れる向きに徐々に高くなるような傾斜をもつ傾斜部を有するように構成でき、また第１読取手段と第２読取手段とを対向する側に設けておく例も適用でき、凸部３０２を形成した例も適用できる。但し、第２搬送手段が凸部３０２の側面に沿ってカード型媒体を排出するような構成は採用できず、その代わりに凸部３０２の側面でカード型媒体の排出の勢いが止まるように構成することはできる。また、このような直交方向にカード型媒体を排出する構成であっても、挿入口と排出口とを同じにするか別々にするかのいずれも採用することができ、また図６のような自動送り装置を採用することもでき、また凹部３０３に傾斜部３０４ａを設ける例も適用することができる。
【００６７】
さらに、このような直交方向にカード型媒体を排出する構成であっても、図５で例示したように凹部３０３に開口を設けた例も適用できる。より具体的には、図５（Ａ）の全体の方向のみを参照して説明すると、直線Ｒ−Ｒ方向にカード型媒体が排出されることになり、それとは直交する方向（凸部３０２の延伸する方向）に凹部が形成され、その一端が開口していることとなる。
【符号の説明】
【００６８】
１…露光ユニット、２…現像器、３…感光体ドラム、４…クリーナユニット、５…帯電器、６…中間転写ベルトユニット、７…定着ユニット、８…直径、１０…転写ローラ、１１ａ，１１ｂ…ピックアップローラ、１２ａ…搬送ローラ、１３…レジストローラ、１６…搬送ローラ、１７…ホルダ、６１…中間転写ベルト、６２…中間転写ベルト駆動ローラ、６３…中間転写ベルト従動ローラ、６４…中間転写ローラ、６５…中間転写ベルトクリーニングユニット、７１…ヒートローラ、７２…加圧ローラ、８１…給紙カセット、８２…手差し給紙トレイ、９０…主走査部、９１…排出トレイ、９２…原稿載置台、１００…画像形成装置、１１０…装置本体、１２０…自動原稿送り装置、２０１…原稿トレイ、２０２…ローラ、２０３，２０４…搬送ローラ、２０５…排出トレイ、３００…カード読取ユニット、３０１…補助トレイ、３０２…凸部、３０３…凹部、３０４…底部（カード排出面）、３０４ａ…傾斜部、３０５，３０６…搬送ローラ、３０７…第２読取手段、３０８…挿入口、３１０…カードトレイ、３１１…ピックローラ。
【図１】
2011066676.tif 000003
【図２】
2011066676.tif 000004
【図３】
2011066676.tif 000005
【図４】
2011066676.tif 000006
【図５】
2011066676.tif 000007
【図６】
2011066676.tif 000008